(57)【要約】【課題】被救助者が疲労していても救助者の補助なく救助され、また、強風に煽られず、さらに、取扱いが便利な救助用具を提供する。【解決手段】本救助用具は、被救助者Ｈの胴体の両側を前後方向に挟む一対の横向きのサイドバー１１，１１と、該各サイドバー１１，１１の一端部側に配置された一対のから縦向きのロッド１２，１２と、前記一対のサイドバー１１，１１及び一対のロッド１２，１２の間隔を一定に維持するステー１３とを有するフレーム１０と、被救助者Ｈが跨って着座するハーネス２０とを備え、前記ハーネス２０の中間部が垂れ下がるように、ハーネス２０の両端部がフレーム１０に取り付けられている。ハーネス２０は、一端側が幅狭に、他端側が幅広に形成され、一端側が前記ステー１３に着脱自在に取り付けられ、他端側が各サイドバー１１の他端部に着脱自在に取り付けられている。【選択図】図１
2011024860.tif 000002
【特許請求の範囲】
【請求項１】
被救助者の胴体の両側を前後方向に挟む一対の横向きのサイドバーと、該各サイドバーの一端部側に配置された一対の縦向きのロッドと、前記一対のサイドバー及び一対のロッドの間隔を一定に維持するステーとを有するフレームと、被救助者が跨って着座するハーネスとを備え、前記ハーネスの中間部が垂れ下がるように、ハーネスの両端部がフレームに取り付けられていることを特徴とする救助用具。
【請求項２】
前記ハーネスは、一端側が幅狭に、他端側が幅広に形成され、一端側が前記ステーに着脱自在に取り付けられ、他端側が各サイドバーの他端部に着脱自在に取り付けられていること特徴とする請求項１に記載の救助用具。
【請求項３】
前記各サイドバーは、横向きの姿勢から縦向きの姿勢に姿勢を転換することができるように各ロッドに取り付けられていることを特徴とする請求項１又は２に記載の救助用具。
【請求項４】
前記サイドバーが横向きの姿勢を維持するようにするためのロック機構が前記フレームに備えられていることを特徴とする請求項３に記載の救助用具。
【請求項５】
前記サイドバーは、他端部側が上向きに傾斜し、かつ、わずかに内向きになっていることを特徴とする請求項１から４のいずれか一項に記載の救助用具。
【請求項６】
前記一対のロッドの上端部がトップバーによって連結されていることを特徴とする請求項１ないし５のいずれか一項に記載の救助用具。
【請求項７】
前記トップバーは、各ロッドの上端部から各サイドバーと同一方向かつ上向きに傾斜した姿勢の一対の端部と、該一対の端部に架け渡された中間部と有していることを特徴とする請求項６に記載の救助用具。
【請求項８】
前記ハーネスは、一端部側及び／又は他端部側に複数組の取付具が固定されていることを特徴とする請求項１ないし７のいずれか一項に記載の救助用具。
【発明の詳細な説明】
【技術分野】
【０００１】
本発明は、例えばヘリコプターなどを使用して、遭難者その他の被救助者を引揚げ救助するための救助用具に関する。
【背景技術】
【０００２】
ビル火災救助、水難救助、山岳救助、災害救助などに際して、ヘリコプターを使用して、遭難者その他の被救助者を引揚げ救助するための救助用具が各種提供されている。例えば、サバイバースリングと称される救命用具が特許文献１に記載されている。
【０００３】
このサバイバースリングは、被救助者の両脇の下に捲回されるサバイバースリング本体と、このサバイバースリング本体の両端に設けられた吊帯とを備えたものであり、サバイバースリング本体には被救助者の胴体に捲回する縛着帯が設けられ、この縛着帯の両端には金具が取り付けられ、また、吊帯の各端部には接続金具が取り付けられている。
【０００４】
このようなサバイバースリングを被救助者に装着するには、サバイバースリング本体を被救助者の両脇の下に通し、縛着帯を被救助者に捲回して締め付け、金具を係止することによって被救助者を固定する。そして、吊帯に接続された接続金具をヘリコプターから吊り下げられたホイストケーブルの下端部のフックに係止し、ホイストケーブルを巻き上げることによって、被救助者が引き揚げられ、救助される。
【先行技術文献】
【特許文献】
【０００５】
【特許文献１】特開２００４−２０１８９０号公報
【発明の概要】
【発明が解決しようとする課題】
【０００６】
特許文献１に開示されたようなサバイバースリングは、被救助者が体力を消耗していたり、意識がなかったりすると、被救助者が一人で金具を係止するなどの作業を行うことが困難であり、しかも、被救助者が自力でサバイバースリングを装着できるとしても、縛着帯の締付けが緩いと、被救助者が抜け落ちてしまうことから、救助者がヘリコプターから降下して、サバイバースリングを被救助者に装着しなければならない。
【０００７】
また、自力でサバイバースリングを装着できないような被救助者にあっては、救助者が被救助者を補助しながら引き揚げなければならない。さらに、サバイバースリングを装着した被救助者を引き揚げている途中において、縛着帯が緩むなどして、被救助者がサバイバースリングから抜け落ちそうになると、被救助者を一旦降ろし、縛着帯の緩みを確認しなければならない。
【０００８】
また、どのような被救助者であっても、サバイバースリングは、被救助者の体重を両脇で支えるため、被救助者の脇に大きな負担が掛かり、また、胸郭部を圧迫される。したがって、このサバイバースリングは、特に疲労している被救助者を救助するには不向きなものとなっている。
【０００９】
また、救助用具として、被救助者を仰向けの姿勢で引揚げ救助する横吊り式ハーネスと称されるものも提供されている。この横吊り式ハーネスは、菱形形状の胴衣に腕を通すアームホールを設け、胴衣の背中と腰に当たる部分の外側面にベルトを縦方向と横方向に取り付け、縦方向のベルトの下端部にカラビナを取り付け、横方向のベルトの両端にＤ型環を取り付けたものとされている。
【００１０】
このような横吊り式ハーネスは、被救助者の腕をアームホールに通し、横方向のベルトの両端のＤ型環を一つに合わせ、カラビナをこのＤ型環に掛けてロックし、ホイストケーブルのフックを二つのＤ型環に掛けた後、ホイストケーブルを巻き上げる。
【００１１】
このような横吊り式ハーネスは、臀部が胴体中で最も低い位置となり、胸部が腰部よりも高い位置になるように調整しなければならず、この調整が的確でないと、被救助者の吊下姿勢が異常な状態となり、被救助者は不安定な姿勢となって、胴衣から抜け落ちる虞がある。したがって、この横吊り式ハーネスは、救助者の補助が必ず必要となる。
【００１２】
さらに、特許文献１に開示されたようなサバイバースリングも前記横吊り式ハーネスも、基本的に軽量であるため、錘などが取り付けられたとしても、強風に煽（あお）られやすく、ヘリコプターから被救助者の待機地点に吊り下げにくいなど、取扱いが不便なものとなっている。
【００１３】
そこで、本発明は、被救助者が救助者の補助なく救助され、また、強風に煽られず、さらに、取扱いが便利な救助用具を提供することを課題とする。
【課題を解決するための手段】
【００１４】
本発明に係る救助用具は、被救助者の胴体の両側を前後方向に挟む一対の横向きのサイドバーと、該各サイドバーの一端部側に配置された一対の縦向きのロッドと、前記一対のサイドバー及び一対のロッドの間隔を一定に維持するステーとを有するフレームと、被救助者が跨って着座するハーネスとを備え、前記ハーネスの中間部が垂れ下がるように、ハーネスの両端部がフレームに取り付けられていることを特徴としている。
【００１５】
この救助用具によれば、被救助者は、救助者の補助なくハーネスに跨って着座して、すべり落ちる心配なく救出することができる。着座した被救助者は、一対のサイドバーに挟まれる状態となり、そして、各ロッドを掴むことによって、安全性が確保される。
【００１６】
また、前記本発明に係る救助用具において、前記ハーネスは、一端側が幅狭に、他端側が幅広に形成され、一端側が前記ステーに着脱自在に取り付けられ、他端側が各サイドバーの他端部に着脱自在に取り付けられていることが好ましい。
【００１７】
この救助用具によれば、被救助者は、ロッドを掴む向きで着座すると、ハーネスの幅の広い側が臀部に沿うため、座り心地がよいものとなる。換言すれば、この救助用具は、被救助者がロッドを背にして着座すると、座り心地が悪いことから、誤った向きに着座していることに気付けるようにすることができる。
【００１８】
また、前記本発明に係る救助用具において、前記各サイドバーは、横向きの姿勢から縦向きの姿勢に姿勢を転換することができるように各ロッドに取り付けられていることが好ましい。この救助用具によれば、使用しないときは、各サイドバーを縦向きの姿勢として、コンパクトに収納することができる。
【００１９】
また、前記本発明に係る救助用具において、前記サイドバーが横向きの姿勢を維持するようにするためのロック機構が前記フレームに備えられていることが好ましい。この救助用具は、ヘリコプターなどから吊り下げられるときに、サイドバーが横向き、ロッドが縦向きの姿勢とされるが、ロック機構によってロッドが縦向きの姿勢を維持する、すなわち、ロッドがサイドバーと重なり合うように系統しないため、被救助者はロッドを縦向きの姿勢とする作業することなく、ハーネスに着座することができる。
【００２０】
また、前記本発明に係る救助用具において、前記サイドバーは、他端部側が上向きに傾斜し、かつ、わずかに内向きになっていることが好ましい。この救助用具によれば、サイドバーの他端側が上向きに傾斜することにより、ハーネスに着座した被救助者の脇の背中側がサイドバーの他端側で持ち上げられる状態となり、そして、サイドバーの他端側がわずかに内向きになることにより、ハーネスに着座した被救助者の背中側がサイドバーの他端側でわずかに抱かれる状態となり、被救助者に安心感を与えることができる。
【００２１】
また、前記本発明に係る救助用具において、前記一対のロッドの上端部がトップバーによって連結されていることが好ましい。この救助用具によれば、トップバーが一対のロッドの上端部を連結することにより、一対のロッドの上端部側が近接したり、離間したりすることがない、すなわち、フレームが変形しないようにすることができる。
【００２２】
また、前記本発明に係る救助用具において、前記トップバーは、各ロッドの上端部から各サイドバーと同一方向かつ上向きに傾斜した姿勢の一対の端部と、該一対の端部に架け渡された中間部と有していることが好ましい。この救助用具によれば、トップバーの中間部がホイストケーブルに吊り下げられると、フレームは被救助者が着座しやすい姿勢にわずかに傾斜する。
【００２３】
また、前記本発明に係る救助用具において、前記ハーネスは、一端部側及び／又は他端部側に複数組の取付具が固定されていることが好ましい。この救助用具によれば、ハーネスの一端部側及び／又は他端部側に固定された複数組の取付具により、被救助者が着座する部分のハーネスの長さを調整することができる。
【発明の効果】
【００２４】
本発明によれば、ハーネスをフレームに取り付けた救命用具が提供されるため、被救助者が救助者の補助なくハーネスに跨って着座して、すべり落ちる心配なく救出される。したがって、本発明は、疲労している被救助者及び疲労していない被救助者を安全に救助し、また、取り扱いが便利な救命用具を提供することができる。
【図面の簡単な説明】
【００２５】
【図１】本発明に係る救助用具の一実施形態を示す概略斜視図である。
【図２】本発明に係る救助用具の一実施形態を示す背面図である。
【図３】本発明に係る救助用具の一実施形態を示す側面図である。
【図４】本発明に係る救助用具の一実施形態を示す正面図である。
【図５】本発明に係る救助用具に備えられたロック機構の部分の一実施形態を示し、（ａ）は側面図、（ｂ）は正面図、（ｃ）は（ｂ）のＡ−Ａ線断面図である。
【発明を実施するための形態】
【００２６】
本発明に係る救命用具の一実施形態について図１ないし図５を参照しながら説明する。この救命用具は、パイプ状の部材によって構成されたフレーム１０と、被救助者Ｈが跨って、すべり落ちる心配がないように着座するハーネス２０とを備えている。
【００２７】
フレーム１０は、被救助者Ｈの胴体の両側を前後方向に挟む一対の横向きのサイドバー１１，１１と、この各サイドバー１１，１１の一端部（基端部）１１ａ，１１ａ側に配置された一対の縦向きのロッド１２，１２と、一対のサイドバー１１，１１及び一対のロッド１２，１２の間隔を一定に維持するステー１３とを、例えばステンレス鋼によって成形したものとされている。
【００２８】
サイドバー１１，１１は、他端部（先端部）１１ｂ，１１ｂ側が上向きに傾斜し、かつ、わずかに内向きとされている。サイドバー１１の他端部１１ｂ側が上向きに傾斜することにより、ハーネス２０に着座した被救助者Ｈの脇の背中側が持ち上げられる状態となる。また、サイドバー１１の他端部側がわずかに内向きとされることにより、被救助者Ｈの背中側がわずかに抱かれる状態となる。したがって、ハーネス２０に着座した被救助者Ｈは、サイドバー１１，１１によって安心感が与えられる。
【００２９】
そして、サイドバー１１の他端部の下面には、外れ止め機能付のフック１４が取り付けられている。このフックは、一部分に開口部を設けたＵ字形の本体部１４ａと、開口部を開閉するラッチ１４ｂとを備えたものであり、バネ部材によってラッチ１４ｂが開口部を通常、閉鎖するようにされている。
【００３０】
このような各サイドバー１１，１１は、横向きの姿勢から図３の仮想線に示すような縦向きの姿勢に姿勢を転換することができるようにされている。そのため、各サイドバー１１の一端部には、Ｌ字形のアングル１５が溶接などによって固定されている。
【００３１】
このアングル１５は、サイドバー１１の一端部１１ａ側の底側を支える樋形状の受部１５ａと、ロッド１２の下端部を挟む２枚の挟持部１５ｂ，１５ｂとを一体形成したものとされている。受部１５ａは、端面が上向きコ字形やＵ字形に形成されている。
【００３２】
また、挟持部１５ｂ，１５ｂとロッド１２の下端部には、連通孔が形成され、この連通孔を軸１５ｃが貫通することによって、この軸１５ｃを回転軸にアングル１５及びサイドバー１１が揺動することができるようにされている。なお、軸１５ｃは、例えばロッド１２及び挟持部１５ｂ，１５ｂを貫通するボルトとボルトの先端部に締結されるナットとを組み合わせたものとされる。
【００３３】
そして、サイドバー１１が横向きの姿勢を維持するようにするためのロック機構１６がフレーム１０に備えられている。このロック機構１６は、図５に示すように、一端部に係止孔を形成した基盤１６ａと、この基盤１６ａの係止孔に抜き挿しされるピン１６ｂ及びこのピン１６ｂを突出・退入させるレバー１６ｃを備えた操作部１６ｄとを組み合わせたものとされている。
【００３４】
基盤１６ａは、係止孔がロッド１２から外れて露出するように、サイドバー１１に固定された内側の受部１５ｂに固定されている。したがって、基板１６ａは、サイドバー１１の姿勢の転換に伴って揺動する。また、操作部は、ロッド１２の下端部に固定されている。したがって、サイドバー１１が横向きの姿勢となったときに、基盤１６ａに形成された係止孔と操作部１６ｄに備えられたピン１６ｂとが対峙するように位置合わせされている。
【００３５】
そして、アングル１５の軸１５ｃが貫通した一対のロッド１２，１２の上側にステー１３が架け渡され、溶接されることによってステー１３と一対のロッド１２，１２とが一体化されている。
【００３６】
このステー１３には、外れ止め機能付のフック１７が固定されている。このフック１７は、前記のサイドバー１１に取り付けられたフック１４と同様、一部分に開口部を設けた変形Ｕ字形の本体部１７ａと、開口部を開閉するラッチ１７ｂとを備えたものであり、バネ部材によってラッチ１７ｂが開口部１７ａを通常、閉鎖するようにされている。
【００３７】
そして、一対のロッド１２，１２の上端部間にはトップバー１８が架け渡され、溶接されることによって一対のロッド１２，１２とトップバー１８とが一体化されている。このトップバー１８によって、一対のロッド１２，１２の上端部側が近接したり、離間したりすることがなく、フレーム１０が変形しないようにされている。
【００３８】
このトップバー１８は、各ロッド１２，１２の上端部に連続して設けられた一対の端部１８ａ，１８ａと、この一対の端部１８ａ，１８ａに架け渡された中間部１８ｂとによって平面視コ字形に成形されている。そして、一対の端部１８ａ，１８ａは、中間部１８ｂ側が上側になるように傾斜した姿勢とされている。
【００３９】
また、中間部１８ｂの中心には、ホイストケーブル１の下端部を係止する留め具１８ｃが固定されている。なお、トップバー１８の各端部１８ａ，１８ａと中間部１８ｂとの間、及び各端部１８ａ，１８ａとロッド１２との間には、斜め向きの補強部材１９，１９，…が架け渡されている。
【００４０】
そして、このようなフレーム１０に、ハーネス２０が取り付けられる。ハーネス２０は、２本のサイドベルト２１，２１の中間部に、２本のサイドベルト２１，２１に跨る座部２２を設けたもので、例えばポリエステルによって形成されている。サイドベルト２１，２１は、垂れ下がる長さとされ、着座しやすいように、一端部２１ａ，２１ａ側が幅狭、他端部２１ｂ，２１ｂ側が幅広とされている。
【００４１】
したがって、座部２２も、一端部側が幅狭に、他端部側が幅広に形成されている。また、座部２２は、座り心地がよいように、例えば発泡ポリエチレン製のシートによってクッション性を備えたものとされている。
【００４２】
そして、各サイドベルト２１，２１の一端部２１ａ，２１ａ側には、Ｄ型環その他の取付金具２３，２３が複数組（図面では６組）取り付けられている。この取付金具２３，２３が前記ステー１３に固定されたフック１７に係止される。取付金具２３，２３が複数組固定されていることにより、座部２２の垂れ下がり加減を調節することができる。
【００４３】
また、２本のサイドベルト２１，２１の他端部２１ｂ，２１ｂ側の端部には、Ｄ型環その他の取付金具２３，２３が一組だけ取り付けられている。この取付金具２３，２３は、各サイドバー１１，１１の端部に取り付けられたフック１４，１４に係止される。
【００４４】
そして、２本のサイドベルト２１，２１の他端部２１ｂ，２１ｂ側には、複数本（図面では２本）の幅方向のベルト２４，２４が架け渡されている。このベルト２４，２４の外面には、手で掴むためのループ状の取手２５，２５が取り付けられている。また、２本のサイドベルト２１，２１の他端部２１ｂ，２１ｂ側の各端部に取り付けられた各取付金具２３，２３にも、幅方向のベルト２６が架け渡されている。
【００４５】
さらに、この２本のサイドベルト２１，２１の他端部２１ｂ，２１ｂに取り付けられた各取付金具２３，２３には、縦向きの姿勢となったサイドバー１１，１１を縦向きの姿勢を維持するように、前記ロッド１２又はトップバー１８に括り付ける仮固定用ベルト２７，２７が取り付けられている。
【００４６】
この救助用具は、以上のように構成され、次に使用方法について説明する。この救助用具は、ビル火災救助、水難救助、山岳救助、災害救助などでヘリコプターのような航空機から吊り下げられて使用される。また、この救助用具は、大型船舶などに搭載し、大型船舶の甲板などから吊り下げて使用することも可能であり、使用態様を限定するものでない。ただし、ここでは、ヘリコプターを使用するとして説明する。
【００４７】
この救助用具は、保管している状態やヘリコプターに搭載されて救助現場に到着するまでは、コンパクト化を図るため、両サイドバー１１，１１を縦向きの姿勢とする。両サイドバー１１，１１は、仮固定用ベルト２７，２７をロッド１２又はトップバー１８に括り付けることによって、横向きの姿勢となることなく、縦向きの姿勢を維持する。
【００４８】
そして、ヘリコプターが救助現場ないし救助現場付近に到着すると、仮固定用ベルト２７，２７をロッド１２又はトップバー１８から解き、両サイドバー１１，１１を横向きとする。そして、ロック機構１６のレバー１６ｃを操作して、ピン１６ｂを基盤１６ａの係止孔内に挿し込むことにより、両サイドバー１１，１１が横向きの姿勢を維持するようにする。
【００４９】
また、サイドベルト２１，２１の一端部２１ａ，２１ａ側に取り付けられた取付金具２３，２３から被救助者Ｈの体格に合った取付金具２３，２３を選択し、ステー１３に固定されたフック１７に係止する。
【００５０】
そして、トップバー１８の中間部１８ｂに固定された留め具１８ｃにホイストケーブル１の下端部を係止し、救助用具をヘリコプターの乗降口から外側に突き出す。すると、サイドバー１１，１１は、他端部１１ｂ，１１ｂ側が一端部１１ａ，１１ａ側よりもわずかに上側に位置するようにやや傾斜した姿勢となる。
【００５１】
そして、ホイストケーブル１を繰り出すことによって、救助用具を被救助者Ｈが待機している地点まで下降する。救助用具は、フレーム１０によって適度な重量を有していることから、強風に煽られることなく、被救助者Ｈが待機している地点まで下降する。
【００５２】
被救助者Ｈは、救助者の補助なく、ハーネス２０に跨って着座する。ハーネス２０は、ロッド１２の方の一端側が幅狭、他端側が幅広とされていることから、被救助者Ｈは、ロッド１２に向かって着座すると、幅の広い座部２２が臀部に沿う状態となって、安定した状態で着座することができる。
【００５３】
換言すれば、被救助者Ｈがロッド１２を背にして着座すると、大股を開いて幅広の他端側の座部２２を跨がなければならず、しかも、臀部が幅狭の一端側の座部２２に不安定に乗る状態となるため、被救助者Ｈは向きを間違えて着座したことに気付く。
【００５４】
そして、ロッド１２，１２に向かった被救助者Ｈが各ロッド１２，１２を掴むと、ホイストケーブル１を巻き取り、救助用具を上昇させる。すると、ハーネス２０の座部２２が被救助者Ｈの臀部を持ち上げ、被救助者Ｈの体重がハーネス２０に加えられる。被救助者Ｈは、ハーネス２０に跨って着座しているため、すべり落ちる心配がない。また、このとき、ホイストケーブル１に吊り下げられた救助用具は、若干前傾姿勢となるため、被救助者Ｈは不安感が幾分なりとも解消される。
【００５５】
そして、サイドバー１１，１１の他端部１１ｂ，１１ｂ側が上向きに傾斜していることにより、被救助者Ｈの脇の背中側がサイドバー１１，１１の他端側で持ち上げられる状態となり、そして、他端側がわずかに内向きになることにより、被救助者Ｈの背中側がサイドバー１１の他端側でわずかに抱かれる状態となっていることによっても、被救助者Ｈの不安感が解消される。
【００５６】
そして、被救助者Ｈの背中側は、ハーネス２０の横方向のベルト２４，２４に支えられるため、被救助者Ｈは後ろのめりなることがなく、安全性が確保されている。したがって、ホイストケーブル１を巻き取ることにより、この被救助者Ｈが疲労していても、安全にヘリコプター内に救出することができる。
【００５７】
被救助者Ｈの救出が終了すると、ロック機構１６のレバー１６ｃを操作して、ピン１６ｂを基盤１６ａの係止孔から抜き出し、サイドバー１１，１１を縦向きの姿勢とし、コンパクトにして収納する。
【００５８】
なお、本発明は、前記の実施形態に限定することなく、種々変更することができる。例えば、緊急事態である場合は、被救助者Ｈはロッド１２を背にしてハーネス２０に着座してもよい。この場合は、被救助者Ｈは、サイドバー１１，１１の他端部１１ｂ，１１ｂを掴むことが好ましい。
【００５９】
また、座り心地よりも、着座の向きを特定しない利便性を優先する場合は、ハーネス２０は、幅が一定のものとしてもよい。また、ハーネス２０のサイドベルト２１，２１一端部２１ａ，２１ａに取り付けられる取付金具２３，２３は、一組のみとしてもよいし、逆にサイドベルト２１，２１の他端部２１ｂ，２１ｂに複数組の取付金具２３，２３を固定してもよい。
【００６０】
そして、サイドバー１１は、他端部１１ｂ側が上向きに傾斜したり、わずかに内向きにされたりすることなく、直線状としてもよい。この直線状のサイドバー１１は、内向きに付勢されるようにわずかに開閉するものとしてもよい。
【００６１】
また、サイドバー１１は、横向きの姿勢と縦向きの姿勢とに姿勢を転換することなく、横向きの姿勢に固定したものとしてもよい。この場合は、トップバー１８の両端部１８ａ，１８ａが傾斜していることから、トップバー１８とサイドバー１１との間に別の救助用具のトップバー１８とサイドバー１１，１１が挟まれるように積み重ねて収納してもよい。
【００６２】
また、救助用具は、特にサイドバー１１が横向きの姿勢に固定される場合は、ロック機構１６を備えていなくてもよい。また、ロック機構１６を備えるとしても、ピン１６ｂがレバー１６ｃによって突出・退入するのではなく、単にピン１６ｂが係止孔に挿入・脱抜するだけの機構としてもよい。また、トップバー１８は、平面視コ字形でなく、正面視逆Ｖ字形などとしてもよい。
【００６３】
また、ステー１３は、一対のロッド１２，１２に架け渡されることにより、サイドバー１１，１１を横向き姿勢と縦向き姿勢とに姿勢を転換しても、ステー１３がこの転換に追従しないようにしたが、ステー１３は、一対のサイドバー１１，１１に架け渡され、溶接することによって一体化してもよい。
【符号の説明】
【００６４】
１０……フレーム
１１……サイドバー
１１ａ…一端部
１１ｂ…他端部
１２……ロッド
１３……ステー
１６……ロック機構
１８……トップバー
２０……ハーネス
Ｈ………被救助者
【図１】
2011024860.tif 000003
【図２】
2011024860.tif 000004
【図３】
2011024860.tif 000005
【図４】
2011024860.tif 000006
【図５】
2011024860.tif 000007